(57)【要約】【課題】  寒冷期、寒冷地での屋外作業においてはて手先の冷えにより手指の機能低下が生じる。本発明は手先の冷えを防止し、かつ手作業上の作業性を損なうことなく手全体に暖をとることができるようにする。【解決手段】  課題を解決するために講じた技術手段は、手の甲側部分で加温機能を果たすように、使い捨てカイロを手形形状に成形し、その片面または両面に指先部分、または手全体が納められるポケットを設け、このポケットにカイロが手の甲側に位置するように手または指を挿入、装着して、指先部ポケットで手形カイロの指部を確実に保持することによりカイロの指部分がずれないようにし、手の甲側全体から暖がとれ、かつ、手のひら側には異物感が少なく作業性を損なわないようにした。【選択図】  図１
2005273120.tif 000002
【特許請求の範囲】
【請求項１】
使い捨てカイロをミトン形を含む手形形状に成形し、その片面または両面に手の１部、または手全体が納められるポケットを設けた使い捨てカイロ。
【請求項２】
請求項１において使い捨てカイロの手形形状を、中指を中心にした対称形とする形状
【請求項３】
請求項１または請求項２において手形形状をしたポケット付カイロの発熱袋内部に、発熱剤の移動を抑止するための仕切り部分を設けた構造
【発明の詳細な説明】
【技術分野】
【０００１】  本発明は寒冷期、寒冷地において、手作業時の作業性を損なうことなく、手全体を暖めるようにした使い捨てカイロに関するものである。
【背景技術】
【０００２】  寒冷地、又は、寒冷期においての生活、作業においては、手および指先の保温、加温のため何らかの手段が必要である。
この手段としては特許文献１においての記述がある。これは手袋の甲や手のひらの部分あるいは指の部分に１個ないし複数個のサイズの異なるポケットをつけ使い捨てカイロを入れられるようにし、このポケットに大小サイズの異なる使い捨てカイロを装着する手段である。【０００３】  また、他の手段としては特許文献２においての記述がある。手袋を二重構造にしてその間に発熱剤をいれる様にする手袋形使い捨てカイロが考えられている。【０００４】  手の甲を暖める手段としては特許文献３においての記述がある。これはベース（発熱袋）の手首部分に手首用バンドと、指部分に指用ひもを取り付け、ベースを手の甲部分に保持させることを特徴とする。【０００５】
【特許文献１】特開２００１−７３２１０号公報
【特許文献２】特開平９−１９２１６０号公報
【特許文献３】特開２００３−９３４３０号公報
【発明の開示】
【発明が解決しようとする課題】
【０００６】  特許文献１の手段では手袋につけられたサイズの異なる複数のポケットに合わせて、使い捨てカイロを多種類用意する必要があるうえに、装着も面倒であり、装着後の作業性が必ずしも十分とはいえない。【０００７】  特許文献２の場合は、手袋を二重構造にしてこの環状部分に発熱剤をいれる手段では、手のひら側に発熱剤が存在するために、異物感による作業性悪化だけではなく、発熱によりやけどの心配も生じる等の欠点を有する。【０００８】  特許文献３の手段では指部分の暖をとることはできない。
本発明は、以上の特許文献１、特許文献２、特許文献３の欠点をなくすために暖かいと言うことはもちろん、手を自由に使えるよう作業性を重視することを課題として取り組んだ。
【課題を解決するための手段】
【０００９】  本発明の１は、手の甲側部分で加温機能を果たすように、使い捨てカイロの形状をミトン形を含む手形形状に成形し、その片面または両面に指先部分、または手全体が納められるポケットを設け、このポケットにカイロが手の甲側に位置するように手または指を挿入、装着して、ポケット指先部で手形カイロの指部を確実に保持することによりカイロの指部分がずれないようにし、手の甲側全体から暖がとれ、かつ、手のひら側には異物感が少なく作業性を損なわないようにしたことである。【００１０】  本発明の２は手形形状を中指中心に対称形としたことである。【００１１】  本発明の３は手形形状をした発熱袋１の内部に仕切り部分を設け発熱剤の移動をできるだけ抑制、防止したことである。
【発明の効果】
【００１２】  本発明の１によれば手形形状をしたポケット付カイロの指部分は、手、指を動かしても手の甲側指部分からずれる事はなく、カイロで手の甲側全体を覆う状態を維持できるために、手の甲側の指先はもちろん手全体を暖めることができ、かつ、手のひら側は普通の手袋となんら変わることがないため作業性が確保できる。【００１３】  本発明の２のような手形形状にすれば右手用、左手用と区別する必要がなく両手兼用とすることができる。【００１４】  本発明の３ように発熱袋１の内部に仕切り部分を設けることにより、発熱袋１内の発熱剤３が手の動き等により移動し、不均一な状態になり、結果手の甲側上で加温効果に不均一が生じることを防止できる。
【発明を実施するための最良の形態】
【００１５】  本発明を実施するための最良の形態を、実施例に基づき図面を参照しながら詳細に説明する。
【実施例１】
【００１６】  実施例１は図１に示すように手形形状をした包装材１ａ、包装材１ｂと同手形形状のポケット材２、この包装材１ａと包装材１ｂの包装材内に封入される発熱剤３で構成される。包装材１ａと包装材１ｂは手形形状の全周を接着して密閉な袋にし、内部には発熱剤３が封入されて手形形状をした発熱袋１となる。ポケット材２は手首部分を除く周囲部を発熱袋１の手形周囲に合わせて接着、発熱袋１とポケット材２の部材間に手が挿入可能なポケットを形成させる。破線は発熱袋１の全周の接着部１ｃおよび手首部分を除く周囲の接着部２ａを示し、手を挿入する手首部分は非接着部４に示す。【００１７】  包装材１ａ、包装材１ｂおよびポケット材２については、たとえば包装材１ａ、包装材１ｂの場合は発熱剤３の酸化を考慮すれば通気性のある材料が好ましく、ポケット材２の場合は作業性、さらにはポケット材２が発熱袋１を覆うことからより通気性を損なわないよう考慮して網状材料にするなど、包装材１ａ、包装材１ｂとポケット材２はそれぞれ異なる材料を使用しても差支えない。【００１８】  図２は図１のＡ−Ａ切断部断面図で手に装着した状態を示した。図中にはポケットに挿入された手５を示す。このように手形使い捨てカイロを装着すると発熱袋１で手の甲側全面を覆うことができ、一方手のひら側は従来の手袋を装着した状態となんらかわらないため、手を暖ためることができ、しかも作業性を損なうことのないポケット付使い捨てカイロが得られる。【００１９】  なお、本実施例にミトン形を含む手袋を重ねて装着すれば、手の甲側全面を覆う発熱袋１の移動が抑止されるだけでなく、さらに加温効果が向上するのは言うまでもない。【００２０】  また、本実施例においてポケット部で裏返にして使用することにより両手兼用としての利用が可能である。【００２１】  あるいは本実施例において図は省略するが、手形形状をした発熱袋１の両面に前記のポケットを設ければ両手兼用としての利用が可能である。
【実施例２】
【００２２】  実施例２は図３に示すように普通の手袋を併用することを念頭においたもので、手形形状をした発熱袋１の指先部に手の指を納めるための指ポケットとして、親指ポケット６ａ、人差指ポケット６ｂ、中指ポケット６ｃ、薬指ポケット６ｄ、小指ポケット６ｅを設けている。【００２３】  図４は図３のＢ−Ｂ切断部断面図を示す。手形形状をした発熱袋１が手の甲側、かつ手形に合わせて位置するようにして、指先を各指ポケットに差込み、その上から普通の手袋７を装着した場合である。このように装着された手形形状をした発熱袋１は手、指を動か等の動作をしても、発熱袋１の指部分は指先部ポケットで確実に保持されているためにずれてしまう心配もなく、手の甲側全体を暖めることができる。【００２４】  また、本実施例においても指先ポケット部で裏返にして使用することにより両手兼用としての利用が可能である。【００２５】  また、図は省略するが手形形状をした発熱袋１の両面に、前記の指ポケットを形成すれば両手兼用としての利用が可能である。
【実施例３】
【００２６】  実施例３は図５に示すように、手形形状を中指中心に対称形とした場合である。これにより実施例１、実施例２のように裏返しすることなく両手兼用として使用することができる。この場合装着した時に多少納まりが悪くなることも生じるが、この上に普通の手袋７を図４のように重ねて装着すれば解決できる。
【実施例４】
【００２７】  実施例４は図６に示すように、実施例１、実施例２、実施例３の手形形状をした発熱袋１の内部に仕切りを設けた場合である。図中の長破線（４本）は指間の延長付近に沿って付けた仕切部１ｄを示す。発熱袋１内の発熱剤３は手の動き等により移動し、不均一な状態になり、結果手の甲側上で加温効果も不均一になる恐れがある。このため発熱袋１内の複数個所に仕切りを設ければ、発熱剤３の移動をできるだけ抑制、防止することができる。
【実施例５】
【００２８】  実施例５は図７に示すように実施例１、実施例２の手形形状をミトン形にした場合の発熱袋８であり、図中の手形形状周囲の破線は接着部８ａを示す。本発明によれば実施例１、実施例２における手形形状をミトン形にしても同様の効果が得られることから、手形形状にはミトン形を含むものとする。
【図面の簡単な説明】
【００２９】
【図１】１部に破断面を示す手形ポケット付使い捨てカイロの平面図
【図２】図１のＢ−Ｂ切断部断面図
【図３】手形使い捨てカイロの指先部にポケットをつけた場合の鳥瞰図
【図４】図３のＢ−Ｂ切断部断面図
【図５】対称形をした手形形状の平面図
【図６】仕切り部分を示す平面図
【図７】手形形状をミトン形にした場合の発熱袋平面図
【符号の説明】
【００３０】  １    発熱袋
１ａ  包装材
１ｂ  包装材
１ｃ  発熱袋の接着部
１ｄ  発熱袋内の仕切部
２    ポケット材
２ａ  ポケット材の接着部
３    発熱剤
４    手の挿入部
５    手
６    指ポケット
６ａ  親指ポケット
６ｂ  人差指ポケット
６ｃ  中指ポケット
６ｄ  薬指ポケット
６ｅ  小指ポケット
６ｆ  指ポケット接着部
７    普通の手袋
８    発熱袋
８ａ  発熱袋の接着部
【図１】
2005273120.tif 000003
【図２】
2005273120.tif 000004
【図３】
2005273120.tif 000005
【図４】
2005273120.tif 000006
【図５】
2005273120.tif 000007
【図６】
2005273120.tif 000008
【図７】
2005273120.tif 000009